(57)【要約】  容器（１）用の小児用安全閉鎖装置は、容器(１)に固定可能なカラー(３)と、回転可能なキャップ（４）とを備える。キャップ(４)には第１の係合部材(１０)が設けられ、カラー(３)には対応する第２の係合部材(２１)が設けられている。カラー(３)には、係合部材近傍の箇所に弾性変形可能な一体的な押圧タブ(２４)が設けられている。第１及び第２の係合部材(１０、２１)はキャップ(４)の回転により係合するように構成されていることを特徴とする。本発明の利点は閉鎖装置のキャップの内側のねじ山を必須としないことである。そのためキャップは単純化され得、製造がより安価になり得る。さらに２つの構成要素、すなわちキャップとカラーとは、容器に装着する前に組み立て可能である。
2011500465.tif 000002
【特許請求の範囲】
【請求項１】
容器用の小児用安全閉鎖装置であって、
当該閉鎖装置は、容器に対し固定可能なカラーと、回転可能なキャップとを備え、
前記キャップには、第１の係合部材が設けられ、
前記カラーには、対応する第２の係合部材が設けられ、
前記カラーには、さらに前記係合部材近傍の箇所に弾性変形可能な一体的な押圧タブが設けられ、
前記第１の係合部材と前記第２の係合部材は前記キャップの回転によって係合するように構成されている
ことを特徴とする小児用安全閉鎖装置。
【請求項２】
前記キャップは非ねじ式であることを特徴とする請求項１に記載の小児用安全閉鎖装置。
【請求項３】
前記第１の係合部材は弾性のクリップを備えていることを特徴とする請求項１または請求項２に記載の小児用安全閉鎖装置。
【請求項４】
前記クリップは、突端部であって、当該突端部の後縁にショルダー部を有する突端部を備えていることを特徴とする請求項３に記載の小児用安全閉鎖装置。
【請求項５】
前記第２の係合部材はクリップ止めを備えていることを特徴とする請求項３または請求項４に記載の小児用安全閉鎖装置。
【請求項６】
前記クリップ止めは前記カラー上に配置され、前記クリップは前記キャップ上に配置されていることを特徴とする請求項５に記載の小児用安全閉鎖装置。
【請求項７】
前記クリップ止めは、壁部内に設けられたスロットを備え、前記スロット及び壁部は、前記突端部が前記スロット内を通過し、前記壁部の端部が前記クリップの前記ショルダー部に係合することができる大きさに構成されていることを特徴とする請求項５または請求項６に記載の小児用安全閉鎖装置。
【請求項８】
前記カラーの上面が傾斜していることを特徴とする請求項１乃至請求項７のうちの何れか１項に記載の小児用安全閉鎖装置。
【請求項９】
前記キャップの下面は前記カラーの傾斜に対応して傾斜していることを特徴とする、請求項８に記載の小児用安全閉鎖装置。
【請求項１０】
前記カラーの傾斜した面には緩衝材が設けられていることを特徴とする請求項８または請求項９に記載の小児用安全閉鎖装置。
【請求項１１】
前記緩衝材は、前記カラーの傾斜した面上に配設される実質的に鉛直方向に延在した壁部材を備えることを特徴とする請求項１０に記載の小児用安全閉鎖装置。
【請求項１２】
前記カラーは実質的に周回曲線状のカラーであることを特徴とする請求項１乃至請求項１１のうちの何れか１項に記載の小児用安全閉鎖装置。
【請求項１３】
前記スロットと前記クリップとは互いに周回曲線上に面していることを特徴とする請求項３乃至請求項７のうちの何れか１項に記載の小児用安全閉鎖装置。
【請求項１４】
一対のクリップと、対応する複数のクリップ止めとを備えていることを特徴とする請求項５乃至請求項７のうちの何れか１項に記載の小児用安全閉鎖装置。
【請求項１５】
前記カラーは、使用に際して前記容器との関係で回転し得るように前記容器に対し固定可能であることを特徴とする請求項１乃至請求項１４のうちの何れか１項に記載の小児用安全閉鎖装置。
【請求項１６】
請求項１乃至請求項１５のうちの何れか１項に記載の小児用安全閉鎖装置を備えていることを特徴とする容器。
【請求項１７】
前記容器はエアロゾル供給装置を備えていることを特徴とする請求項１６に記載の容器。
【発明の詳細な説明】
【発明の詳細な説明】
【０００１】
［技術分野］
本発明は新規な閉鎖装置及びその閉鎖装置を備えた容器に関する。
この容器は種々の物質を保持し得るが、固形状、タブレット状、顆粒状、粉末状、半固形ペースト状または液状の例えば薬事製剤といった医薬品のような物質の保持に特に好適である。
［背景技術］
薬剤のような潜在的に危険な物質について小児によって開封されるのを防止するようにされた小児用安全包装材が知られている。種々の小児用安全容器も知られている。一例では、内側閉鎖部材を有する締め付け可能なキャップであって、一般的には、容器の頸部のねじ部に対応して係合するように構成された内側ねじ部を備え、閉鎖位置においてキャップが固定され得るキャップを備えたものが知られている。このキャップにはまた、一対の固定用突起が設けられた締付け可能な外側スカート部が設けられ、その固定用突起は例えばスカート部の下端近傍に設けられる。キャップ固定用突起は、キャップがそのキャップの閉鎖位置に回転させられたときに、容器固定用突起の内側を通過して半径方向内側に押し付けられるようになっている。
【０００２】
固定用突起は、閉鎖装置が回されて取り外されるのを防止するように容器上に配された対応する突起と係合する。閉鎖装置の外側スカート部を締付けることによって、固定用突起を容器の突起から外し、キャップを容器から回して取り外すことができる。
【０００３】
しかしながらこのような小児用安全キャップのデザインには、多くの不都合で悩まされ、例えば慢性関節リュウマチなどを患ってその結果手先または指先の機能障害がある年配者にとってキャップの取り外しが困難となり得るなどの不都合がある。さらに、例えば外側スカート部を含むそのようなキャップ構造は、キャップが内側に締め付けられ得るために、直径方向に十分な空間が設けられるようにキャップが必要以上に大きな直径にされる必要がある。さらに、従来の「締付け及び回転」式包装の他の問題点は、今や一般的であるが故、次第に小児が開け方に気が付くようになっているという点である。そのため、小児にとって開封が「直感的」でなく、しかし大人がいったん取扱説明書を読めばその大人が取り扱うことができるように設計された包装物または閉鎖装置の必要性が高まっている。
【０００４】
そのような設計に改良することについて試みがなされている。例えば、欧州特許第０  ６０６  ２６１号には、薬剤タブレットなどのような潜在的に危険な物質を保管及び提供するための小児用安全包装が記載されている。この包装は、ボトルの上方部分を超えたところに固定されたカラーが備えられたボトルと、対応するねじ山を用いることによってボトルに固定され得る閉鎖装置と、を備える。このカラーは、一対の弾性変形可能なばね状の押圧タブを有し、その押圧タブは閉鎖装置のスカートの最内面上の内側固定歯に係合し得る上方向に延びる延長部を有する。この閉鎖装置を開封するためには、閉鎖装置に取り外しの回転力を加える前に押圧タブが手動で押し下げられる。
【０００５】
ＥＰ‘２６１に記載された包装は、小児の安全には適しているが、そのデザインは、例えば対応するねじ山といった第２の閉鎖機構をなお必要とし、また閉鎖装置が回して閉じられる前にボトル上にカラーが取り付けられる必要がある。
【０００６】
そのため、比較的組立てが容易な小児用安全容器であって、手先の通常の器用さに欠ける人々にとっても容易に開けることができる小児用安全容器の必要性が依然としてある。
［発明の開示］
そのため、本発明の第１の局面では、容器用の小児用安全閉鎖装置が提供される。この閉鎖装置は、容器に対して固定可能なカラーと、回転可能なキャップとを備える。上記キャップには、第１の係合部材が設けられている。カラーには、対応する第２の係合部材が設けられている。カラーには、さらに上記係合部材近傍の箇所に弾性変形可能な一体的な押圧タブが設けられている。第１の係合部材と第２の係合部材はキャップの回転によって係合するように構成されていることを特徴とする。
【０００７】
本発明の利点は、従来の小児用安全閉鎖装置と異なり、閉鎖装置のキャップが内側にねじ山を必須としないことである。このことは、とりわけ、キャップがより単純化され得、それ故製造がより安価になり得る点において、利点である。さらに、２つの構成部材、すなわちキャップとカラーとは容器上への装着に先立って(例えば、単に下向きの力を要するのみの比較的単純な操作によって)組み立て可能である。それに対して欧州特許第０  ６０６  ２６１号に記載されるような従来技術の組立品では、下側の構成要素は閉鎖装置が締め付けられる前に容器上に取り付けられなければならない。
【０００８】
種々の係合部材が使用されても良いが、本発明の好ましい実施形態では、第１の係合部材は弾性のクリップを備えている。そのようなクリップは前端と後端とを有する突端部を備えている。後端には、例えばショルダー部のような起立部が設けられている。第１の係合部材が前述したようなクリップを備える場合には、そのクリップが通過可能なスロットを持った起立部材の形状をしたクリップ止めを第２の係合部材が備える。従って、突端部は、ショルダー部がスロットを取り巻く壁に当接するまでスロットを経て突出し、キャップの停止をもたらす。
【０００９】
クリップは、初めにカラー上の弾性変形可能な押圧タブが押し下げられてクリップがクリップ止めから外されない限り、閉鎖装置を反対方向に回転させることで容器のカラーから閉鎖装置が取り去られることを防止する。クリップはまた、単純にキャップを鉛直方向に引っ張ることでキャップが取り去られることも防止する。
【００１０】
本発明の好ましい実施形態では、このようなクリップ止めはカラー上に配され、クリップはキャップ上に配される。しかし、当業者であれば、本発明の閉鎖部材は、クリップをカラー上に配してクリップスロットをキャップ上に配しても機能することは理解できるであろう。
【００１１】
本発明のさらなる局面では、カラーの上面が傾斜しており、キャップの下面がカラーの傾斜に対応した形式にて傾斜している。傾斜した面を適用する場合には、使用者がキャップを閉鎖位置に向けて回転させる際に、同時にキャップを下方に付勢させる上で、便利である。またキャップ及び／またはカラーの傾斜した面には、実質的に鉛直方向に延在した端壁部材の形式の緩衝材であって、カラーの傾斜した面上に配置されることになる緩衝材が設けられても良い。
【００１２】
カラーは実質的に周回曲線状のカラーであることが好ましい。そのため、例えば、クリップ及びクリップスロットなどの係合部材もまた周回曲線上に面していることが好ましい。
【００１３】
好ましい実施形態では、閉鎖装置には第１及び第２の係合部材が複数個設けられる。最適な個数は好ましくは２個である。すなわち、一対の第１の係合部材とこれに対応する一対の第２の係合部材である。例えば一対のクリップ及びこれに対応する一対のクリップ止めといった一対の係合部材が存在する場合は、これらはそれぞれキャップ／カラーにおいて相対する面に配されることが好ましい。一対のクリップを有することが好ましい。例えば、一対のクリップのそれぞれがキャップの各々の側面に配されることが好ましい。押圧板に必要な圧下量を制限することでキャップが最適化され得るからである。
【００１４】
本発明の閉鎖装置は、容器、好ましくは薬剤を含む容器とともに使用されることが望ましい。そのため、本発明のさらなる局面において、我々は前述したような小児用安全閉鎖装置を備えた容器を提供する。この閉鎖装置は具体的にはエアロゾル供給装置を含む容器とともに使用する目的で設計されたものである。
【００１５】
さらに、カラーは、押圧タブの移動を制限するよう構成された成形品を追加的に含んでも良い。これにより押圧タブ及び／または１つ以上の弾性の突端部などの可撓性の制御といった追加的要素の実現も可能になる。このような成形品による利点は、とりわけ、本発明の閉鎖装置の機能性を最適化する「微調整」が可能になり得るという点である。
【図面の簡単な説明】
【００１６】
以下の図面を参照して本発明の実施形態を一例として記載する。
【図１】開封位置における、分解された本発明による容器及び閉鎖装置の斜視図である。
【図２】図１の分解された容器及び閉鎖装置の斜視図であって、クリップ止めを示している図である。
【図３】閉鎖位置における、図１及び図２に示された容器及び閉鎖装置の斜視図である。
【図４】図１乃至図３に示された容器及び閉鎖装置の側面図である。
【図５】図４の切断線Ａ−Ａに沿った断面図である。
【図６】図１乃至図５に示された容器及び閉鎖装置の側面図である。
【図７】図６の切断線Ｄ−Ｄに沿った断面図である。
【図８】ある程度開いた状態における図１乃至図７に示された閉鎖装置の斜視図である。
【図９】図１乃至図８に示された閉鎖装置が閉鎖位置にある状態を示す斜視切断図であって、クリップ及びクリップ止めを示している図である。
【図１０】図１乃至図９の閉鎖装置が閉鎖位置にある状態を示す斜視図であって、移動方向が示された図である。
【００１７】
これらの図によれば、小児用安全容器１は、カラー３と、非ねじ式のキャップ４とを有する筒体２を備える。
非ねじ式のキャップ４は、頂部５及び筒状のスカート部６を備える。スカート部６の端縁７は円周状周縁部に傾斜端８を形成するように傾斜している。その端縁には、略鉛直な鉛直係止部９が設けられている。また鉛直係止部９には、ショルダー部１２を有する弾性の突端部１１の形態としてのクリップ１０を備えた第１の係合部材が設けられている。ショルダー部１２は、突端部１１の後縁１３に設けられている。
【００１８】
突端部１１は、スカート部６と略同一面を有するよう曲面状に配置される。また突端部１１は、弾性材料を備える。突端部１１は、スカート部６がなす円周から半径方向外側に向かって付勢される。
【００１９】
記載された実施例においては、筒体２はエアロゾル容器である。筒体２は、閉鎖端１４、円筒本体１５及び放出端１６を備える。本体１５は外側面１７を備える。カラー３は筒体２の放出端１６近傍に配置される。
【００２０】
カラー３は切欠部１９を有する周回曲線状帯１８を備える。切欠部１９は周回曲線状傾斜端部２０と、第２の係合部材と、によって縁取られている。第２の係合部材は、実質的に鉛直方向に延びるクリップ止め端部２１を備えている。閉鎖位置において、キャップ４における周回曲線状の傾斜端８と、カラー３の切欠部１９とはきれいに一致する。
【００２１】
鉛直方向に延びるクリップ止め端部２１には、クリップ１０が収まるかまたは通過するスロット２２が設けられている。カラー３は、筒体２の本体１６の面１７に実質的に固定される。しかしながら、カラー３の領域であってスロット２２に隣接した領域２３は本体の面１７から浮き上がっている。領域２３は押圧タブ２４から構成される。従って、押圧タブ２４及び／またはカラー３は弾性変形可能な材料を備える。
【００２２】
使用に際しては、非ねじ式のキャップ４を筒体２に固定してそれによって容器１を密封するために、筒体２の放出端１６に非ねじ式のキャップ４が押し込まれる。時計回りの回転移動によって、クリップ１０はスロット２２を通過し、へり部１３、具体的にはクリップ１０の端部１４がスロット２２の端部に接触することで、非ねじ式のキャップ４が筒体２に固定される。キャップ４を開封するためには、押圧タブ２４を押し込む。押圧タブ２４の押し込みにより、クリップ１０の突端部１１及びショルダー部１２は筒体２の本体１６及び面１７に向けて押圧される。このようにして、ショルダー部１２はカラースロット２２から外されてクリップ１０は開放されるので、キャップ４を反時計回りに回すことによってそのキャップ４を取り去ることができる。
【００２３】
カラー３及びキャップ４の両者を容器１に対し回転させることができること、すなわち、使用者はカラー３とキャップ４のうち一方を回転させてキャップ４をカラー３から取り外す際にカラー３とキャップ４のうち他方を握ることで当該他方が回転しないようにしなければならないことが理解されるであろう。そのため容器１を保持しキャップ４を回転させるだけでは、単にカラー３とキャップ４が容器１に対して回転するだけであるので不十分である。
【００２４】
このような特徴は、小児がキャップ４を開けようとして過度の力でキャップ４を壊してしまう可能性を低減する。
当業者であれば、本明細書で言及するものは単に例示に過ぎないことを理解するであろう。具体的には、時計回り及び反時計回りの例示は、開封するために時計回りとし閉鎖するために反時計回りとなるよう、容易に設計変更されるものであって、限定されるものではないことが十分理解されるであろう。またさらに、本発明の概念はエアロゾル供給装置に関して記載されているが、本発明の閉鎖装置は他の包装形式を有するもの、すなわち容器や閉鎖装置にも採用することができる。従って、例えば、本明細書に記載された特定の包装形式以外のものに本発明の閉鎖装置を採用することも本発明の範囲内に属する。よって、本発明の概念は、カラーが容器の個別構成部品である様々な包装物、またはカラーが容器の一体部品として成形される様々な包装物に使用できることが認識される。
【図１】
2011500465.tif 000003
【図２】
2011500465.tif 000004
【図３】
2011500465.tif 000005
【図４】
2011500465.tif 000006
【図５】
2011500465.tif 000007
【図６】
2011500465.tif 000008
【図７】
2011500465.tif 000009
【図８】
2011500465.tif 000010
【図９】
2011500465.tif 000011
【図１０】
2011500465.tif 000012
【国際調査報告】
2011500465.tif 000013
2011500465.tif 000014